(57)【特許請求の範囲】
【請求項１】
鉛直方向の最下部が鉛直方向下方に突出する凸曲面となるカバー外表面と、
前記凸曲面の略最下点を中心に所定半径で設けられる第１の領域と、
前記第１の領域を除く前記カバー外表面に設けられる第２の領域と、
を有し、
前記第２の領域は、親水性を有する第１の親水性領域を含み、
前記第１の領域は、撥水性を有する撥水性領域と、前記第２の領域から前記略最下点に至る、前記撥水性領域よりも親水性が高い誘導路と、を含む、
カメラカバー。
【請求項２】
請求項１に記載のカメラカバーであって、
前記第１の領域は、前記略最下点を中心に、当該第１の領域と略同心円に、当該第１の領域の半径よりも短い半径で親水性を有する第２の親水性領域を有する、
カメラカバー。
【請求項３】
請求項１または２に記載のカメラカバーであって、
複数の前記誘導路は、前記略最下点を中心に放射状に設けられる、
カメラカバー。
【請求項４】
鉛直方向の最下部が鉛直方向下方に突出する凸曲面となるカバー外表面と、
前記凸曲面の略最下点を中心に所定半径で設けられる第１の領域と、
前記第１の領域を除く前記カバー外表面に設けられる第２の領域と、
を有し、
前記第２の領域は、親水性を有する第１の親水性領域を含み、
前記第１の領域は、親水性を有する第３の親水性領域と、前記第３の親水性領域を包囲し且つ前記第２の領域に包囲され、前記第３の親水性領域よりも親水性が低く、水の接触角が４０度以下である第４の親水性領域と、を有する、
カメラカバー。
【請求項５】
鉛直方向の最下部が鉛直方向下方に突出する凸曲面となるカバー外表面と、
前記凸曲面の略最下点を中心に所定半径で設けられる第１の領域と、
前記第１の領域を除く前記カバー外表面に設けられる第２の領域と、
を有し、
前記第２の領域は、親水性を有する第１の親水性領域を含み、
前記第１の領域は、親水性を有する第５の親水性領域と、前記第５の親水性領域を包囲し且つ前記第２の領域に包囲され、親水性を有する領域に撥水性を有する点を複数有する点状撥水領域と、を有する、
カメラカバー。
【請求項６】
請求項１〜４のいずれか１項に記載のカメラカバーであって、
当該カメラカバーは、半球外殻を有するドームカバーである、
カメラカバー。
【発明の詳細な説明】
【技術分野】
【０００１】
本開示は、カメラカバーに関する。
【背景技術】
【０００２】
撮像装置のレンズに水滴が付着すると、水滴により光の屈折が起こり、撮影画像が劣化することがある。従来、レンズに水滴が付着しにくくなるようにし、以下の光学ユニットが提案されている（特許文献１参照）。この光学ユニットは、レンズ部の表面に撥水性を持たせ、レンズ部の周囲に形成された押え冠である非レンズ部の表面に親水性を持たせる。これにより、光学ユニットは、レンズ部の表面にある水滴が非レンズ部に接した場合に、撥水性のあるレンズ部の表面から親水性のある非レンズ部の表面に水滴を誘導する。
【先行技術文献】
【特許文献】
【０００３】
【特許文献１】特開２００８−１４８２７６号公報
【発明の概要】
【発明が解決しようとする課題】
【０００４】
特許文献１に記載された光学ユニットは、撮像装置が鉛直方向下方を撮像する場合、水滴により撮像画像の画質の劣化を抑制することが困難である。
【０００５】
本開示は、上記事情に鑑みてなされたものであり、撮像装置が鉛直方向下方を撮像する場合でも、水滴による撮像画像の画質の劣化を抑制できるカメラカバーを提供する。
【課題を解決するための手段】
【０００６】
本開示のカメラカバーは、鉛直方向の最下部が鉛直方向下方に突出する凸曲面となるカバー外表面と、前記凸曲面の略最下点を中心に所定半径で設けられる第１の領域と、前記第１の領域を除く前記カバー外表面に設けられる第２の領域と、を有し、前記第２の領域は、親水性を有する第１の親水性領域を含み、前記第１の領域は、撥水性を有する撥水性領域と、前記第２の領域から前記略最下点に至る、前記撥水性領域よりも親水性が高い誘導路と、を含む。
【発明の効果】
【０００７】
本開示によれば、撮像装置が鉛直方向下方を撮像する場合でも、水滴による撮像画像の画質の劣化を抑制できる。
【図面の簡単な説明】
【０００８】
【図１】第１の実施形態に係るドームカバーを備える監視カメラを天井設置の向きで表した斜視図
【図２】図１に示したドームカバーの斜視図
【図３】図２に示したドームカバーを下から見た下面図
【図４】水滴が付着した図１のドームカバーの側面図
【図５】水滴が付着した図１のドームカバーを下から見た下面図
【図６】第２の実施形態に係るドームカバーを下から見た下面図
【図７】第３の実施形態に係るドームカバーを下から見た下面図
【図８】第４の実施形態に係るドームカバーを下から見た下面図
【図９】第５の実施形態に係るドームカバーを下から見た下面図
【図１０】第６の実施形態に係るドームカバーを備える監視カメラを壁設置の向きで表した斜視図
【図１１】第６の実施形態に係るドームカバーを下から見た下面図
【図１２】水滴が付着した図１０のドームカバーの側面図
【図１３】水滴が付着した図１０のドームカバーの正面図
【図１４】水滴が付着した図１０のドームカバーを下から見た下面図
【発明を実施するための形態】
【０００９】
以下、適宜図面を参照しながら、実施形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になることを避け、当業者の理解を容易にするためである。尚、添付図面及び以下の説明は、当業者が本開示を十分に理解するために提供されるものであり、これらにより特許請求の範囲に記載の主題を限定することは意図されていない。
【００１０】
（本開示の一形態を得るに至った経緯）
特許文献１に記載された光学ユニットを、ドームカバーにより覆われる監視カメラに適用した場合、監視カメラが天井面に取り付けられると、上記レンズ部の表面に相当する部分が、ドームカバーの最下部となる。ドームカバーの場合、付着した水滴は、重力によって最下部に集まる。そのため、親水性を有する最下部に集まった水滴を、重力に抗して上流側の撥水性を有する表面（上記非レンズ部の表面に相当）に誘導することが困難である。また、汚れを含んだ水滴が乾くと最下部に汚れが残ってしまい、例えば真下を監視した場合、画質劣化の原因となる。
【００１１】
以下、撮像装置が鉛直方向下方を撮像する場合でも、水滴による撮像画像の画質の劣化を抑制できるカメラカバーについて説明する。
【００１２】
以下の実施形態では、カメラカバーとして、ドームカバーを例示して説明する。
【００１３】
（第１の実施形態）
［構成等］
図１は、第１の実施形態に係るドームカバー１１を備える監視カメラ１３を天井設置の向きで表した斜視図である。
【００１４】
ドームカバー１１は、例えば監視カメラ１３に用いられる。監視カメラ１３は、取付台１５を有する。取付台１５は、天井や壁に取付金具（図示略）により固定される。取付台１５には、本体カバー１７が取り付けられる。本体カバー１７は、図示しないカメラや制御基板等を覆って保護する。
【００１５】
カメラは、イメージセンサやレンズを有する撮像ユニットを含む。イメージセンサは、ＣＣＤ（Ｃｈａｒｇｅ  Ｃｏｕｐｌｅｄ  Ｄｅｖｉｃｅｓ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）を含む。
【００１６】
本体カバー１７には、ドームカバー取付穴１９が形成される。ドームカバー取付穴１９からは、ドームカバー１１の半球外殻２１が突出される。
【００１７】
図２は、図１に示したドームカバー１１の斜視図である。
【００１８】
ドームカバー１１は、半球外殻２１と、半球外殻２１の開口周縁２３に同一半径で接続する円筒２５と、を含む。円筒２５は、半球外殻２１と反対側に、本体カバー１７に固定されるフランジ２７を有する。
【００１９】
ドームカバー１１は、成形性及び透明性に優れた樹脂材料を基板材料として形成される。樹脂材料には、有機系樹脂材料と無機系樹脂材料とがある。例えば、半球外殻２１の基板材料に、ポリカーボネートなどの有機系樹脂材料が用いられる。ポリカーボネートは、硬く衝撃に強いため好適である。また、アクリルなど透明性の良好な樹脂材料が用いられてもよい。
【００２０】
図３は、図２に示したドームカバー１１を下から見た下面図である。
【００２１】
ドームカバー１１は、カバー外表面と、撥水部２９と、親水部３１と、を有する。
【００２２】
カバー外表面は、鉛直方向の最下部が鉛直方向下方に突出し、凸曲面に形成される。即ち、ドームカバー１１は、凸曲面となるカバー外表面が、半球外殻２１の外表面となる。
【００２３】
撥水部２９は、凸曲面の最下点３３（厳密な最下点だけではなく最下点付近を示す。以下、同じ。）を中心に、所定半径で、例えば円形に設けられる。撥水部２９は、例えば撥水性処理や表面加工処理により、撥水性を有する。撥水性処理は、公知の方法で行われる。撥水性処理では、例えば、フッ素化合物やシリコーン化合物を含む撥水性材料によって、撥水コートが施される。例えば、撥水性材料が、ドームカバー１１の最下部付近のカバー外表面に塗布される。なお、撥水部２９の形成については、ドームカバー１１の基板材料がポリカーボネートやアクリルなどの撥水性材料の場合は、基板材料の撥水性材料をそのまま利用してもよい。
【００２４】
親水部３１は、撥水部２９を除くカバー外表面に設けられる。親水部３１は、例えば親水性処理や表面加工処理により、親水性を有する。親水性処理や表面加工処理は、公知の方法で行われる。親水性処理では、例えば、ポリビニルアルコールやポリアクリルアミドを含む親水性材料によって、親水コートが施される。例えば、親水性材料が、ドームカバー１１のカバー外表面（特に最下部以外のカバー外表面）に塗布される。
【００２５】
なお、上記のように親水部３１と撥水部２９を塗り分けるのは、処理の均一性確保や境界部の処理などにより、技術的に難しい。まずスプレーやディッピングなどによりドームカバー１１の全面を親水性処理した後に、その上からタンポ印刷などで撥水性材料を転写する二段階の工程とすることにより、より簡易に効率的に親水部３１と撥水部２９とを形成できる。
【００２６】
また、基板材料の撥水性を利用する場合は、予め撥水部２９をマスキングしておき、その上から親水性処理を実施した後、マスキングを取り除いて撥水性基板材料を露出することにより、親水部３１と撥水部２９とを形成できる。
【００２７】
さらに、ドームカバー１１の全面を親水性処理した後に、有機溶剤などで親水性材料を除去することにより、撥水性基板材料を露出させ、親水部３１と撥水部２９とを形成するという方法もある。
【００２８】
親水部３１に付着した水は、玉状になり難く、親水部３１において薄く拡がり皮膜化して水膜を形成する。即ち、親水部３１を設けたカバー外表面にかかった水滴Ｗは、親水処理により玉状にはならず、親水コート上に略均一に拡がった水膜となる。これにより、光は殆ど屈折することなく、カメラに入射し、画像視認性が良好に維持できる。
【００２９】
撥水部２９に付着した水は、玉状になりやすく、重力によって鉛直方向下向きに落下し易い。
【００３０】
尚、撥水部２９又は親水部３１に付着する水は、雨水、雪、結露による水滴、外部から意図的に付着させた水、等を含む。
【００３１】
また、撥水部２９での水の接触角は、親水部３１での水の接触角よりも大きい。接触角は、カバー外表面の材質により決まる。例えば、接触角が４０度以下の場合、親水性を有し、接触角が１００度以下の場合、撥水性を有する。例えば撥水性処理により、撥水部２９での水の接触角が変更され得る。例えば親水性処理により、親水部３１での水の接触角が変更され得る。
【００３２】
図４は、水滴Ｗが付着した図１のドームカバー１１の側面図である。図５は、水滴Ｗが付着した図１のドームカバー１１を下から見た下面図である。
【００３３】
ドームカバー１１では、最下部の凸曲面に、最下点３３を中心とする所定半径の撥水部２９が設けられる。撥水部２９以外のカバー外表面には、親水部３１が設けられる。
【００３４】
最下部以外の親水部３１に付着した水は、重力により最下部に向かい、カバー外表面を伝わって流れ下る（流下する）。流下した水は、親水部３１と撥水部２９の境界に到達する。この境界では、撥水部２９での水の接触角が、親水部３１での水の接触角より大きいため、水は、撥水部２９内への移動に抵抗が生じる。
【００３５】
ここで、水をカバー外表面に沿って移動させる力（移動力）は、重力によって生じる。移動力は、凸曲面において、最下点３３からの距離によって変わり、最下点３３で０となる。即ち、水は、図４に示す鉛直線３５の通る最下点３３の位置で移動が止まる。水は、この位置に常駐しようとする。
【００３６】
親水部３１と撥水部２９の境界は、最下点３３から所定距離の位置に設定される。この位置は、撥水部２９の抵抗力よりも大きな移動力（越境力）が水に生じる位置に設定される。
【００３７】
従って、水は、親水部３１と撥水部２９の境界を越えて、撥水部２９の最下点３３へと流下する。最下点３３では、重力の作用が、水に対し、カバー外表面から離反する方向（剥離方向）に最大で作用する。また、撥水部２９では、親水部３１よりも水の接触角が大きく、水のカバー外表面との接触面積が、親水部３１よりも減少する。これにより、図４、図５に示す最下点３３に到達した水は、撥水部２９において、他のカバー外表面よりも自重を支持し難くなり、落下し易くなる。
【００３８】
従って、監視カメラ１３のドームカバー１１は、最下部に水滴Ｗの付着することによる監視画像の劣化を軽減できる。このため、監視カメラ１３が天井に設置された場合、ドームカバー１１は、真下（鉛直方向下方）の監視画像の劣化を抑制でき、監視精度を向上できる。
【００３９】
［効果等］
このように、ドームカバー１１は、カバー外表面と、撥水部２９と、親水部３１と、を有する。撥水部２９は、親水部３１よりも親水性が低く、撥水性を有する撥水性領域を含む。撥水部２９は、親水部３１よりも親水性が低い第１の領域の一例である。親水部３１は、親水性を有する第１の親水性領域の一例であり、また、第１の親水性領域を含む第２の領域の一例である。
【００４０】
ドームカバー１１によれば、親水部３１又は撥水部２９に付着した水は、鉛直方向下向きに流下し、撥水部２９で水滴となってカバー外表面から剥離され、落下し易くなる。従って、カバー外表面の最下部に水滴が付着した状態が維持され難くなる。これにより、ドームカバー１１は、ドームカバー１１において水滴により光の屈折が起こることで、画質が劣化することを低減できる。また、ドームカバー１１は、玉状になった水滴がドームカバー１１の外表面に留まることで、撮影画像に水滴が映りこみ、画質が劣化することを低減できる。
【００４１】
また、ドームカバー１１により、カバー外表面の最下部に残留する水の量が低減する。そのため、ドームカバー１１は、水が乾いた際の汚れの残留量を低減でき、最下部に発生する汚れを低減できる。よって、ドームカバー１１は、最下部の方向（鉛直方向下向き）を撮像する際の撮像が画像の画質の劣化を抑制できる。
【００４２】
また、カメラカバーがドームカバー１１である場合、半球外殻２１が凸曲面を有するため、水を拭き取るためのワイパを設けることが困難である。この場合でも、重力を利用して撥水部２９の最下点３３に移動した水滴がカバー外表面から剥離されることで、水滴の影響を低減できる。
【００４３】
（第２の実施形態）
図６は、第２の実施形態に係るドームカバー３７を下から見た下面図である。尚、第２の実施形態において、第１の実施形態と同一の事項については、説明を省略又は簡略化する。
【００４４】
ドームカバー３７は、撥水部２９に、親水部３１から最下点３３に至る少なくとも１本の親水誘導路３９を有する。親水誘導路３９は、例えば直線状に形成される。親水誘導路３９は、親水性を有する。従って、親水誘導路３９では、水の接触角が、撥水部２９の接触角より小さい。尚、親水誘導路３９での水の接触角と親水部３１での水の接触角とが異なってもよい。
【００４５】
ドームカバー３７では、複数の親水誘導路３９が、最下点３３を中心に放射状に設けられてもよい。図６では、４本の親水誘導路３９が設けられる。親水誘導路３９の本数は一例であり、他の数でもよい。また、親水誘導路３９は、最下点３３を囲む円周方向に等間隔に形成されても、形成されなくてもよい。また、親水誘導路３９は、曲線状の部分を含んでもよい。
【００４６】
このように、撥水部２９は、撥水性領域と、親水部３１から最下点に至る親水誘導路３９と、を含んでもよい。親水誘導路３９は、撥水性領域よりも親水性が高い。親水性誘導路は、誘導路の一例である。
【００４７】
水は、親水部３１と撥水部２９との境界に到達すると、撥水部２９から流下抵抗を受けるが、親水誘導路３９に接することで、流下抵抗が小さくなる。これにより、水は、重力による移動力が勝り易く、越境して撥水部２９に流下し易くなる。換言すれば、流下した水が、境界に沿って溜まり難くなる。
【００４８】
また、ドームカバー３７では、円形の撥水部２９は、３６０°の任意の方向から接触する水が、親水誘導路３９に接触しやすくなる。これにより、水は、落下が促進される最下点３３へ流下し易くなる。
【００４９】
また、親水誘導路３９が最下点を中心に放射状に複数設けられることで、最下点３３に水が移動し易くなる。そのため、最下点３３において、重力によりカバー外表面から剥離方向へ作用する力が増大し、水が落下し易くなる。
【００５０】
（第３の実施形態）
図７は、第３の実施形態に係るドームカバー４１を下から見た下面図である。尚、第３の実施形態において、第１，第２の実施形態と同一の事項については、説明を省略又は簡略化する。
【００５１】
ドームカバー４１の最下部には、撥水部２９に、最下点３３を中心とし、撥水部２９の半径よりも短い半径を有する親水円形部４３が、同心円（厳密な同心円だけではなくおおよその同心円を示す。以下、同じ。）で設けられる。親水円形部４３は、親水性を有する。従って、親水円形部４３では、水の接触角が、撥水部２９の接触角より小さい。尚、親水円形部４３での水の接触角は、親水誘導路３９での水の接触角や親水部３１での水の接触角とは異なってもよい。尚、親水円形部４３は、第２の親水性領域の一例である。
【００５２】
ドームカバー４１によれば、水は、例えば撥水部２９の中央に親水円形部４３が設けられることで、親水円形部４３が設けられない場合と比較すると、剥離方向の重力が最大に作用する最下点３３へ移動され易くなる。そのため、親水円形部４３が設けられない場合と比較すると、大きな水滴が形成されるようになり、重力によりカバー外表面から剥離方向へ作用する力が増大し、最下点３３に溜まった水が落下し易くなる。
【００５３】
（第４の実施形態）
図８は、第４の実施形態に係るドームカバー４５を下から見た下面図である。尚、第４の実施形態において、第１〜第３の実施形態と同一の事項については、説明を省略又は簡略化する。
【００５４】
ドームカバー４５の最下部には、撥水部２９と同じ領域に、親水円形部４３及び中親水部４７が設けられる。
【００５５】
親水円形部４３は、最下点３３を中心に、所定半径の親水円形部４３が設けられる。親水円形部４３には、親水誘導路３９が接続されない。親水円形部４３の外周には、中親水部４７が例えば円環状に設けられている。中親水部４７は、内側で親水円形部４３に接して、親水円形部４３を包囲している。また、中親水部４７は、外側で親水部３１に接して、親水部３１に包囲される。尚、親水円形部４３は、第３の親水性領域の一例である。中親水部４７は、第４の親水性領域の一例である。
【００５６】
ここで、親水部３１での水の接触角は、接触角θ１となる。中親水部４７での水の接触角は、接触角θ２となる。親水円形部４３での水の接触角は、接触角θ３となる。尚、接触角θ１＜接触角θ２、接触角θ３＜接触角θ２の関係を有する。接触角θ１と接触角θ３とは異なってもよい。
【００５７】
ドームカバー４５によれば、親水部３１を流下した水が、最下部の中親水部４７に到達したとき、撥水部２９が設けられた場合と比較すると、最下点３３へ移動し易くなる。また、親水円形部４３に達した水は、親水部３１との接続が、中親水部４７によって切れやすくなる。これにより、最下点３３に到達した水は、中親水部４７の内側において、他のカバー外表面の領域よりも自重を支持し難くなり、落下し易くなる。
【００５８】
（第５の実施形態）
図９は、第５の実施形態に係るドームカバー４９を下から見た下面図である。尚、第５の実施形態において、第１〜第４の実施形態と同一の事項については、説明を省略又は簡略化する。
【００５９】
ドームカバー４９は、撥水部５１が、親水円形部４３と点状撥水部５３とを有する。点状撥水部５３は、親水性を有する領域に、撥水性を有する点（狭い領域）を複数有する。つまり、点状撥水部５３では、親水性と撥水性とが混在する。
【００６０】
親水円形部４３の外周には、点状撥水部５３が例えば円環状に設けられている。点状撥水部５３は、内側で親水円形部４３に接して、親水円形部４３を包囲している。また、点状撥水部５３は、外側で親水部３１に接して、親水部３１に包囲される。尚、親水円形部４３は、第５の親水性領域の一例である。点状撥水部５３は、点状撥水領域の一例である。
【００６１】
ここで、親水部３１での水の接触角は、接触角θ４となる。親水円形部４３での水の接触角は、接触角θ５となる。点状撥水部５３での水の接触角は、接触角θ６となる。尚、接触角θ４＜接触角θ６、接触角θ５＜接触角θ６の関係を有する。接触角θ４と接触角θ５とは異なってもよい。
【００６２】
点状撥水部５３は、さらに、接触角θ７をもつ親水部１０１と、接触角θ８をもつ撥水部１０２に分離できる。撥水部１０２は非常に小さな面積である為、点状撥水部５３は、マクロ的にみると、接触角θ６を持つことになる。このとき、接触角θ６、θ７、θ８には、θ７＜θ６＜θ８の関係がある。
【００６３】
接触角θ４、θ５、θ７、θ８の関係については、下記の４パターン（１）〜（４）が考えられるが、いずれでもよい。
（１）θ４＝θ５＝θ７＜θ８
（２）θ４＝θ７＜θ８、θ５＜θ８
（３）θ４＜θ８、θ５＝θ７＜θ８
（４）θ４＜θ８、θ５＜θ８、θ７＜θ８
【００６４】
（１）〜（４）の中で、（１）の関係を満たしてドームカバー４９を作製する場合は、例えば、接触角θ４（＝θ５＝θ７）の親水性材料でドームカバー４９の全面を親水性処理した後に、点状撥水部５３の領域に接触角θ８の撥水性材料を転写する。これにより、より簡易に効率的にドームカバー４９を作製できる。
【００６５】
ドームカバー４９によれば、撥水部５１が点状撥水部５３を有することで、撥水部５１への水の流下抵抗が調整可能となる。点状撥水部５３における撥水性の高さは、例えば、点状撥水部５３が有する親水性の領域に、撥水性を有する点をどの程度混ぜるかによって調整される。
【００６６】
即ち、点状撥水部５３は、水を最下点３３へ流下し易くでき、且つ最下点３３において、水を落下させ易くできる。また、例えば、点状撥水部５３の親水性を有する領域と親水部３１とに対して共通の親水性処理を施すことで、点状撥水部５３と親水部３１との明確な境界を削除できる。これにより、水滴Ｗが凸レンズ状にならないようにする抑制効果も生じる。
【００６７】
（第６の実施形態）
図１０は、第６の実施形態に係るドームカバー５５を備える監視カメラ１３を壁設置の向きで表した斜視図である。図１１は、ドームカバー５５を下から見た下面図である。尚、第６の実施形態において、第１〜第５の実施形態と同一の事項については、説明を省略又は簡略化する。
【００６８】
ドームカバー５５は、監視カメラ１３が壁面に設置された向きに適用される。即ち、半球外殻２１の直径方向が鉛直方向に沿う。ドームカバー５５は、最下点３３が、半球外殻２１における開口周縁２３の最下部に存在する。この最下部を中心に、所定半径の撥水部５１が設けられる。
【００６９】
撥水部５１は、ドームカバー４９と同様の構成を有する。即ち、撥水部５１は、親水円形部４３と点状撥水部５３とを有する。撥水部５１を除くカバー外表面には、親水部３１が設けられている。
【００７０】
図１２は、水滴Ｗが付着した図１０のドームカバー５５の側面図である。図１３は、水滴Ｗが付着した図１０のドームカバー５５の正面図である。図１４は、水滴Ｗが付着した図１０のドームカバー５５を下から見た下面図である。
【００７１】
ドームカバー５５では、監視カメラ１３が壁面に設置されたとき、半球外殻２１における開口周縁２３の最下部に最下点３３が存在する。この最下部に流下する水の落下が促進される。
【００７２】
ドームカバー５５によれば、撥水部５１が親水性と撥水性とが混在する点状撥水部５３を有することで、撥水部５１への水の流下抵抗が調整可能となる。点状撥水部５３における撥水性の高さは、例えば、点状撥水部５３が有する親水性の領域に、撥水性を有する点をどの程度混ぜるかによって調整される。
【００７３】
即ち、点状撥水部５３は、水を最下点３３へ流下し易くでき、且つ最下点３３において、水を弾いて落下させやすくできる。また、例えば、点状撥水部５３の親水性を有する領域と親水部３１とに対して共通の親水性処理を施すことで、点状撥水部５３と親水部３１との明確な境界を削除できる。これにより、水滴Ｗが凸レンズ状にならないようにする抑制効果も生じる。
【００７４】
尚、監視カメラ１３が壁面に設置された場合、ドームカバー５５の円筒２５には、複数の最下点３３、３３ａ、３３ｂ、・・・３３ｎ（図１２参照）が、開口周縁２３の最下点３３と接続して線状に存在され得る。この場合、撥水部５１は、監視カメラ１３の壁面への取付傾斜角度や、円筒２５のテーパー等が考慮された任意の最下点を中心に設けられてもよい。
【００７５】
従って、各本実施形態に係るドームカバー１１，３７，４１，４５，４９，５５によれば、鉛直方向下方に突出する凸曲面を有するカバー外表面の最下部に水滴Ｗが付着した状態が維持され難くなる。よって、監視カメラ１３が鉛直方向下方を撮像する場合でも、水滴による撮像画像の画質の劣化を抑制できる。
【００７６】
また、ドームカバー１１，３７，４１，４５，４９，５５の最下部における撥水性及び親水性を、各実施形態における最下部周辺の構成により調整できる。そのため、最下部に集まった水滴の大きさを調整でき、上記実施形態におけるいずれかのドームカバーの最下部の構成によって、重力を利用して水滴を落下し易くなる。
【００７７】
（他の実施形態）
以上のように、本開示における技術の例示として、第１〜第６の実施形態を説明した。しかし、本開示における技術は、これに限定されず、変更、置き換え、付加、省略などを行った実施形態にも適用できる。また、各実施形態を組み合わせてもよい。
【００７８】
第１〜第６の実施形態では、撮像装置として監視カメラ１３を例示したが、監視カメラ１３以外の撮像装置（例えば車載カメラ）でもよい。
【００７９】
第１〜第６の実施形態では、カメラカバーとしてドームカバーを例示したが、ドームカバー以外のカメラカバーでもよい。
【００８０】
第６の実施形態では、第５の実施形態に示したドームカバーを有する監視カメラ１３が壁面設置されることを例示したが、他の実施形態（第１〜第４の実施形態のいずれか）に示したドームカバーを有する監視カメラ１３が壁面設置されてもよい。
【００８１】
例えば、４５度傾けて監視カメラを設置する場合や、もともとドームカバーが４５度傾いた形で取り付いた監視カメラの場合は、ドームの鉛直方向最下部周辺、即ち天頂部から４５度の位置周辺に撥水性領域を形成すれば、同様の効果を得ることができる。
【産業上の利用可能性】
【００８２】
本開示は、撮像装置が鉛直方向下方を撮像する場合でも、水滴による撮像画像の画質の劣化を抑制できるカメラカバー等に有用である。
【符号の説明】
【００８３】
１１  ドームカバー
２１  半球外殻
２３  開口周縁
２５  円筒
２９  撥水部
３１  親水部
３３  最下点
３９  親水誘導路
４３  親水円形部
５３  点状撥水部 
【図１】
0006620980.tif 000002
【図２】
0006620980.tif 000003
【図３】
0006620980.tif 000004
【図４】
0006620980.tif 000005
【図５】
0006620980.tif 000006
【図６】
0006620980.tif 000007
【図７】
0006620980.tif 000008
【図８】
0006620980.tif 000009
【図９】
0006620980.tif 000010
【図１０】
0006620980.tif 000011
【図１１】
0006620980.tif 000012
【図１２】
0006620980.tif 000013
【図１３】
0006620980.tif 000014
【図１４】
0006620980.tif 000015